(57)【要約】【課題】  PMPはどこでも持ち運べるポータブル装置であるのに関わらず、出先の外国で購入した映像ソフトがメディアのリージョンコードと装置のリージョンコードが異なる場合には、現地で再生することが出来ず、ポータブル装置としてもメリットを生かせない課題があった。【解決手段】  上記課題を解決するため、本発明は、映像情報を再生可能な情報再生装置において、記録媒体に記録された映像情報と該映像情報を再生可能な地域を示す再生地域情報とを読み出す読み出し部と、情報再生装置の現在位置を検出する位置情報検出部と、前記記録媒体に記録された映像情報の再生を制御する制御部と、を備え、前記制御部は、前記再生地域情報に示された地域と、前記位置情報検出部で検出された位置情報に対応する地域とが一致した場合に前記映像情報の再生を許可することを特徴とする。【選択図】図１
2006244622.tif 000002
【特許請求の範囲】
【請求項１】
情報を再生可能な情報再生装置において、
記録媒体に記録された情報と該情報を再生可能な地域を示す再生地域情報とを読み出す読み出し部と、
情報再生装置の現在位置を検出する位置情報検出部と、
前記記録媒体に記録された情報の再生を制御する制御部と、を備え、
前記制御部は、前記再生地域情報に示された地域と、前記位置情報検出部で検出された位置情報に対応する地域とが一致した場合に前記情報の再生を許可することを特徴とする情報再生装置。
【請求項２】
情報を再生可能な情報再生装置において、
ネットワークを通じて情報と該情報を再生可能な地域を示す再生地域情報とを受信する通信部と、
情報再生装置の現在位置を検出する位置情報検出部と、
前記通信部で受信した情報の再生を制御する制御部と、を備え、
前記制御部は、前記再生地域情報に示された地域と、前記位置情報検出部で検出された位置情報に対応する地域とが一致した場合に前記情報の再生を許可することを特徴とする情報再生装置。
【請求項３】
請求項１又は２に記載の情報再生装置において、
前記制御部は、前記再生地域情報に示された地域と、前記位置情報検出部で検出された位置情報に対応する地域とが一致しない場合には、前記情報の再生を許可しないことを特徴とする情報再生装置。
【請求項４】
請求項１に記載の情報再生装置において、
前記位置情報検出部は、GPSを用いて緯度及び経度の情報を検出し、
前記制御部は、前記検出された緯度及び経度の情報に対応するリージョンコードと、前記記録媒体に記録されたリージョンコードとが一致するときは前記情報の再生を許可し、一致しないときは不許可とすることを特徴とする情報再生装置。
【請求項５】
請求項２に記載の情報再生装置において、
前記位置情報検出部は、GPSを用いて緯度及び経度の情報を検出し、
前記制御部は、前記検出された緯度及び経度の情報に対応するリージョンコードと、前記通信部で受信したリージョンコードとが一致するときは前記情報の再生を許可し、一致しないときは不許可とすることを特徴とする情報再生装置。
【請求項６】
圧縮情報信号を再生可能な情報再生装置において、
記録媒体に第１の伝送形式で記録された信号を再生する再生部と、
第２の伝送形式で伝送される信号を受信する受信部と、
前記受信部で受信した第２の伝送形式の信号を第１の伝送形式に変換する変換部と、
前記再生部で再生された第１の伝送形式の信号に含まれる圧縮情報信号及び前記変換部で第１の伝送形式に変換された信号に含まれる圧縮情報信号を伸張する伸張部と、
を備えることを特徴とする情報再生装置。
【請求項７】
圧縮情報信号を再生可能な情報再生装置において、
記録媒体にプログラムストリーム形式で記録された信号を再生する再生部と、
トランスポート形式で伝送される信号を受信する受信部と、
前記受信部で受信したトランスポート形式の信号をプログラムストリーム形式に変換する変換部と、
前記再生部で再生されたプログラムストリーム形式の信号に含まれる圧縮情報信号及び前記変換部でプログラムストリーム形式に変換された信号に含まれる圧縮情報信号を伸張する伸張部と、
を備えることを特徴とする情報再生装置。
【請求項８】
請求項７に記載の情報再生装置において、
前記再生部で再生されたプログラムストリーム形式の信号に含まれる圧縮情報信号の伸張及び前記変換部でプログラムストリーム形式に変換された信号に含まれる圧縮情報信号の伸張は、共通の伸張部で行われることを特徴とする情報再生装置。
【請求項９】
請求項６又は７に記載の情報再生装置において、
前記再生部から出力された信号又は前記受信部から出力された信号を選択する選択部を備え、
前記再生部から出力された信号が選択された場合には、前記伸張部は該信号に含まれる圧縮情報信号を伸張し、
前記受信部から出力された信号が選択された場合には、前記変換部は該信号を前記第２の伝送形式から第１の伝送形式に変換し、前記伸張部は該変換された信号に含まれる圧縮情報信号を伸張することを特徴とする情報再生装置。
【請求項１０】
請求項９に記載の情報再生装置において、
前記選択部は、前記記録媒体が情報再生装置に装着されている場合には前記再生部から出力された信号を選択し、前記記録媒体が情報再生装置に装着されていない場合には前記受信部から出力された信号を選択することを特徴とする情報再生装置。
【請求項１１】
記録メディアに特定の映像圧縮方式で圧縮された映像信号を含むプログラムストリーム形式で記録された情報を再生するポータブル情報再生装置において、
該映像圧縮方式で圧縮された映像信号を含むトランスポート形式でデジタル伝送された情報を受信する装置と、該受信信号をプログラムストリーム形式に変換する装置と、該記録メディアから再生されたプログラムストリーム信号と該受信及び変換されたプログラムストリーム信号の両方に含まれる圧縮映像信号を共通に伸長する装置を具備することを特徴とするポータブル情報再生装置。
【請求項１２】
情報をディスプレイ上に再生するリージョンを制限するリージョンコードを含む情報を再生するポータブル情報再生装置において、
該装置が所在するリージョンを検出する装置を具備するとともに、該情報に含まれるリージョンコードと該検出装置が検出したリージョンコードとを照合する装置と、該装置の照合結果に従い情報を内蔵ディスプレイに再生するかどうかを選択する装置を具備することを特徴とするポータブル情報再生装置。
【発明の詳細な説明】
【技術分野】
【０００１】
本発明は、情報再生装置に関し、例えば、位置情報を用いて再生を制御する情報再生装置や複数種類の圧縮情報信号の伸張部を共用する情報再生装置に関するものである。
【背景技術】
【０００２】
屋外等で映画等の情報を楽しみたいという市場ニーズに応えるべく、ポータブルDVDプレーヤ、ポケットTV、携帯電話が発売されている。ポケットTVとしてはモバイルデジタル放送対応機が登場しており、また、モバイルデジタル放送（地上波デジタル放送の１セグメント放送）対応携帯電話の登場も予想されている。携帯型のデジタル映像受信装置に関しては、例えば特許文献１に開示されている。
【０００３】
【特許文献１】特開2004-282459号公報
【発明の開示】
【発明が解決しようとする課題】
【０００４】
しかしながら、上記特許文献１記載のデジタル映像受信装置や、現在発売されているPMP(Portable Media Player)では、TV番組等のデジタル伝送経由の情報のみ或いはDVDのみしか利用できない。このため、屋外でデジタル伝送経由の情報及びDVDの両方を楽しむには2台の機器が必要となり、ユーザにとって極めて不便である。
【０００５】
また、現行のポータブルDVDプレーヤでは、搭載されるディスプレイはQVGA程度の解像度しか持たないのに、扱う映像情報がVGA相当の解像度を持つため、小型光ディスク、HDD,フラッシュメモリ等の記録容量の不足や記録、再生時の消費電力増大及び製造コストアップを招いており、大きな市場ニーズを創造することができていない。
【０００６】
さらに、PMPはどこでも持ち運べるポータブル装置であるのに関わらず、出先の外国で購入した映像ソフトがメディアのリージョンコードと装置のリージョンコードが異なる場合には、現地で再生することが出来ず、ポータブル装置としてもメリットを生かせない課題があった。
【０００７】
本発明は、上記課題を解決し、使い勝手の良い情報再生装置を提供することを目的とする。
【課題を解決するための手段】
【０００８】
前記の目的を達成するために、本発明では記録メディア経由の情報とデジタル伝送経由の情報の両方に必要なデジタル信号処理部を共通化するとともに、ポータブル情報再生装置に搭載されたデジタルディスプレイの解像度に見合うレベルに映像情報を変換することでデジタル信号処理コストとその消費電力を低減する。また、全地球測位システム（GPS）を搭載し、再生又は受信信号に含まれるリージョンコードと装置内に記録されたリージョンコード、及びGPSが検出する位置情報に対応するリージョンコードを照合する装置を内蔵し、該装置の照合結果に従い情報を内蔵ディスプレイに再生するかどうかを選択する。
【発明の効果】
【０００９】
本発明によれば、使い勝手の良い情報再生装置を提供することが可能になる。
【発明を実施するための最良の形態】
【００１０】
本発明の実施例として、デジタル伝送経由で受信したTS(トランスポートストリーム)信号を記録メディア経由で再生したPS(プログラムストリーム)信号と同じ信号形式に変換した後、共通の映像信号伸長装置により同一機器内のディスプレイの解像度に合わせた画質を持つ映像情報に伸長するポータブル情報再生装置を説明する。
【００１１】
図１は本発明のポータブル情報再生装置100の実施例を示したものである。
【００１２】
１はメディアプレーヤ/レコーダであり、再生モードではDVDやBlu-ray Disc、HD DVDのプリレコーデッドディスクや映画等が記録されたHDD,フラッシュメモリからMPEG2、H.264AVC、VC-1等で圧縮された映像情報やリニアPCM、MPEG1、AAC、WMA、MP3等で圧縮された音声情報及び好みのシーンを素早く読み出せるナビゲーション情報、リージョンコード等の著作権管理情報を含むデジタル信号を読み出す。
【００１３】
２はデジタル放送を受信する第1の受信装置であり、日本のISDB-Tの１セグメント放送、モバイル向け衛星放送、米国の衛星音楽放送等の衛星放送やDVB-H、欧州のDAB、DVB-H等のモバイル向けデジタル放送を受信する。第1の受信装置２の出力にはQPSK、16QAM等で変調された200~500kbpの映像、音声、SMPTE(Society of Motion Picture and Television Engineers Holdings)で規格化されたUMID(Unique Material Identifier)のごときナビゲーション情報及び受信国を制限するリージョンコードを含む著作権管理情報からなるデジタル信号が得られる。受信国を制限するリージョンコードは改竄を防ぐため、電子透かし形式で番組情報に多重することもできる。
【００１４】
３は家庭内の有料放送STBやPCからデジタル伝送される情報を受信する第2の受信装置であり、米国のデジタル衛星放送のSTBやケーブル放送のSTBで受信した情報、あるいはインターネット経由でPCがダウンロードした情報をLAN、USB、IEEE802.11、UWB等の有線又は無線のデジタル入力インターフェース経由で受信する。101はこれらの情報を入力するためのデジタル入力端子である。第2の受信装置3の出力にも上記第1の受信装置２の出力と類似のデジタル信号が得られる。
【００１５】
４は上記第1と第2の受信装置の出力から一方を選択する第1の選択回路であり、選択回路４の出力信号は第1の復調、エラー訂正装置５で復調、エラー訂正され、その出力からTS信号が得られる。即ち、この第1の選択回路４により、第1の受信装置で受信したデジタル放送の情報又は第２の受信装置で受信したネットワーク経由の放送の情報のいずれかが選択される。
【００１６】
６はメディアプレーヤ/レコーダ１で再生されたデジタル信号を復調しエラー訂正する第2の復調、エラー訂正装置であり、映像、音声、ナビゲーション情報やリージョンコード等の著作権管理情報を含むPS信号、又は一部TS信号を出力する。
【００１７】
７は第1及び第2の復調、エラー訂正装置５，６の出力信号から一方だけを選択出力する第2の選択回路である。即ち、この第２の選択回路７により、TV番組等のデジタル伝送経由の情報又はDVD等の記録媒体の情報のいずれかが選択される。
【００１８】
102はユーザの選択意思の入力端子、８は入力制御回路である。入力制御回路８は、ユーザの入力信号の選択意思情報（例えば、メディアプレーヤ/レコーダ１、第1又は第2の受信装置２，３の入力を選択するスイッチ、又はTVリモコンによる該入力信号の選択操作）に従い、第1の選択回路４の出力データ、第2の選択回路の出力データを切り替える。ユーザ入力端子102に情報が入力されておらず、メディアプレーヤ/レコーダ1が動作していない場合、例えば記録媒体が情報再生装置に装着されていない場合には、入力制御回路8は、例えば第1の受信装置２の出力データ、又は第2の受信装置３の出力データを選択するように第1の選択回路５、第2の選択回路7の切替を自動制御する。第1の受信装置２の出力データ、又は第２の受信装置３の出力データのいずれを選択するかは、予めユーザが設定しておくことが可能である。また、ユーザが設定していない場合には、第1の受信装置で受信した情報及び第２の受信装置で受信した情報のうち、受信状況が良いものを自動的に選択するようにしても良い。これにより、ユーザが設定している場合にはユーザの好みに合わせた放送を視聴することが可能になり、また、設定されていなくても受信状況の良いものを優先出力することでより画質の良い放送が自動的に視聴できるようになる。
【００１９】
また、ユーザ入力端子102に情報が入力されておらず、メディアプレーヤ／レコーダ1が動作している場合、例えば前記記録媒体が情報再生装置に装着されている場合には、入力制御回路８は第2の選択回路7の出力データがメディアプレーヤ／レコーダ１の再生信号である第2の復調、エラー訂正装置６の出力信号を選択するよう自動制御する。つまり、メディアプレーヤ／レコーダ1が動作している場合には、第1の受信装置２の出力データ及び第２の受信装置３の出力データよりもメディアプレーヤ／レコーダの再生信号を優先して出力する。メディアプレーヤ／レコーダ1が動作している場合には記録媒体が装着されているためユーザがDVD等を視聴する可能性が高いと判断されるからであり、これによりさらにユーザの利便性を向上させることが可能になる。
【００２０】
９は暗号の解読装置であり、DVD  ROMディスクの著作権方式であるCSS、Blu-rayやHD DVDのプリレコーデッドディスクの著作権保護方式AACS、DVD-RAM/Rの記録型ディスクの著作権保護方式CPRM等の複数の暗号を解読でき、その出力には暗号が解読されたPS信号あるいはTS信号が得られる。
【００２１】
暗号解読装置９の出力信号は第1の変換装置10により、TS信号はPS信号に変換され、PS信号はそのまま出力される。即ち、暗号解読装置９は、暗号解読装置から出力された信号がTS信号であるかPS信号であるかを判別し、TS信号と判別したときは所定処理を行ってPS信号に変換する一方、PS信号と判別したときはそのままPS信号を出力する。
【００２２】
記録メディアからのPS信号と伝送経由のTS信号をどちらに統一するかは、後述するメディアレコーダにPS信号で記録するかTS信号で記録するかに依存する。従来の機器ではPS記録もTS記録もどちらも存在するが、本実施例のような記録メディア経由のPS信号とデジタル伝送経由のTS信号の両方を扱う機器については、PSに統一してからデコードあるいは記録することがコスト及び省電力的に有利である。特に圧縮方式がMPEG2ではなくH.264AVCやVC-1のような高圧縮CODECを用いたTS信号はPS信号に変換後デコードあるいは記録するのがコストダウンと省電力に効果的である。
【００２３】
第1の変換装置10の出力は信号分離回路11で映像信号、音声信号、ナビゲーション信号、著作権管理信号に夫々分離され、映像信号は第1のトランスコーダ12に、音声信号は第2のトランスコーダ15に、ナビゲーション信号は第1の制御装置19に、著作権管理情報は第2の制御装置20に入力される。第2の制御装置20は従来のDVD用ナビゲーション制御装置である。
【００２４】
第1のトランスコーダ12に入力される映像信号のうち、H.264AVCあるいはVC-1で圧縮されたものは水平画素数320、480、640、1920、垂直画素数180、240、272、360、1080を持つし、MPEG2で圧縮されたものは水平画素数640、垂直画素数480を持つ。これをトランスコーダ12で内蔵液晶ディスプレイ14の画素数（例えば4:3の場合320Ｘ240、16:9の場合は320Ｘ180、480Ｘ272、640Ｘ360が一般的）に変換した後に映像信号伸長回路13で伸長し、内蔵液晶ディスプレイ14に映出する。
【００２５】
映像信号伸長回路13は扱う画素数に比例して回路規模と消費電力が増大するので、内蔵液晶ディスプレイ14の画素数に合わせた信号処理能力に映像信号伸長回路13を合わせることでコスト低減と省電力を同時に実現できる。また、画素数だけでなくフレームレートを合わせることで更なるコスト低減と省電力を図ることができる。即ち、内蔵液晶ディスプレイ14のフレームレートは、通常は30fps或いは60fpsであるが、これに拘る必要はなく15fpsあるいは24fpsでも実用になるので、第1のトランスコーダ12及び映像信号伸長回路13のフレームレートも15fpsあるいは24fpsに合わせ、更なるコストダウンと省電力を実現することもできる。
【００２６】
信号分離回路11から出力されたリニアPCMやMPEG1、MP3、AAC等で圧縮された音声信号は第2のトランスコーダ15でMP3やAAC等の100kbps以下の信号に変換された後、音声信号伸長回路16で元の音声信号に戻されヘッドホーン端子103に出力される。
【００２７】
信号合成回路17にはH.264AVCやVC-1で圧縮された第1のトランスコーダ12の出力信号と、AACやMP3で圧縮された第2のトランスコーダ15の出力信号と、信号分離回路11で分離されたナビゲーション情報や著作権管理情報を含むメディアプレーヤ/レコーダ1と第1及び第2の受信装置2、3の制御信号及び、全地球測位システム(GPS)18から出力された位置情報に対応するリージョンコードが入力され、これらの信号が合成されたものが出力される。
【００２８】
第1の制御装置19には信号分離回路11からの上記制御信号とGPS18からの位置情報が入力され、第1の制御装置19はメディアプレーヤ1や第1あるいは第2の受信装置２、３を制御する。例えば、メディアプレーヤ/レコーダ1で再生されるプリレコーデッドメディアのリージョンコードが米国で、メディアプレーヤのリージョンコードが日本であっても、GPSの位置情報が米国であれば、プリレコーデッドの再生を許可する。即ち、プリレコーデッドの再生制御はプレーヤとのリージョンコードの一致だけでなく、再生する場所がプリレコーデッドディスクのリージョンコードと一致した場合も再生を許可する。PMPのように容易に外国に持ち運べるプレーヤについてはプリレコーデッドメディアのリージョンコードとプレーヤのリージョンコードが一致するか、あるいはプレーヤに内蔵されたGPSが検出する位置情報に対応したリージョンコードがプリレコーデッドメディアのリージョンコードに一致すれば再生を許可する。つまり、再生する記録媒体に記録されたリージョンコードとGPSが検出する位置情報に対応したリージョンコードとが一致した場合には再生を許可し、一致しない場合には再生を不許可とするように制御される。
【００２９】
一方、受信場所を日本国内に制限する日本の放送をインターネット等を経由して米国で受信する場合は、受信信号中のリージョンコードとGPS18の位置情報を比較し、一致しなければ受信を許可しない、あるいは記録を許可しない等の制御をする。つまり、ネットワークを介して受信したリージョンコードとGPSが検出する位置情報に対応したリージョンコードとが一致した場合には受信した映像の再生を許可し、一致しない場合には再生を不許可とするように制御される。
【００３０】
即ち、放送番組を受信できる国を制限するには、放送番組に受信を許可する国のリージョンコードを付加し、受信機にも発売国のリージョンコードを設定し、両方のリージョンコードが一致すれば受信を許可あるいは暗号解読を許可する。外国に持ち出せるPMPについては内臓のGPSが検出する位置に対応したリージョンコードと受信した放送番組のリージョンコードが一致しても受信、暗号解読を許可する。このように制御することで、コンテンツ保護とユーザの利便性の両立を図ることができるようになる。
【００３１】
なお、GPSにより測定された位置情報は緯度・経度からなる情報である。リージョンコードで特定される各地域に対応する緯度・経度に関する情報は、例えばテーブル形式で情報再生装置のメモリ（図示せず）に記憶されており、GPSにより測定された緯度・経度は、メモリに記憶された緯度・経度に関する情報と照合され、情報再生装置がリージョンコードで特定される地域のうちどの地域に存在するのかが特定される。
【００３２】
つまり、GPSで検出された緯度及び経度の情報から情報再生装置がどのリージョンコードの地域に存在するかを特定し、そのリージョンコードと、前記記録媒体に記録されたリージョンコード又は受信したリージョンコードとを照合し、映像の再生の許可又は不許可が決定される。
【００３３】
図１ではPMPの所在場所を特定するのにGPSを用いているが、GPSの変わりにプリレコーデッドメディアや放送番組が規制するリージョンコードとPMPの所在場所の一致を証明する情報を取得する手段を用いることもできる。この手段として電波時計情報や無線LAN等のデジタル伝送経由の情報が利用できる。
【００３４】
図2は、上記した第1の制御回路19によるメディアプレーヤ/レコーダ１、第1あるいは第2の受信装置２，３の再生処理手順を具体的に示したフロー図である。
【００３５】
まず、入力制御回路８における選択モードを判定する(ステップ30)。入力選択モードがメディアプレーヤ/レコーダを選択した場合(ステップ31)、第1の制御回路19においてメディアのリージョンコードとポータブル情報再生装置のリージョンコードの一致を判別し（ステップ32）、リージョンコードが一致する場合にはメディアプレーヤ/レコーダ１の再生を許可する（ステップ33）。リージョンコードが一致しない場合においては、更にメディアのリージョンコードと全地球測位システム(GPS)18から出力された位置情報に対応するリージョンコードの一致を判別し(ステップ34)、一致した場合はメディアプレーヤ/レコーダ１の再生を許可する信号を生成し(ステップ33)、一致しない場合は再生を禁止する信号を生成し(ステップ35)、メディアプレーヤ/レコーダ１を制御する。
【００３６】
一方、ステップ30において入力選択モードが放送受信を選択した場合は、第1又は第2の受信装置２、又は３を選択する（ステップ36）。その後、放送の受信信号中のリージョンコードとGPS18の位置情報に対応するリージョンコードの一致を判別し（ステップ37）、リージョンコードが一致した場合には放送の受信を許可する信号を生成し（ステップ38）、一致しない場合は放送の受信を禁止する(ステップ39)。
【００３７】
記録装置21は信号合成回路17からの出力信号にエラー訂正符号を付加した信号をメディアプレーヤ/レコーダ1の記録メディアに書き込む。
【００３８】
記録モードにおけるGPS18からの位置情報は時間情報とともに記録メディアに記録され記録内容の一覧表表示や著作権の履歴保全にも使用される。
【００３９】
以上、本発明の実施例によれば、記録メディアに記録された情報とデジタル伝送された情報の両方を世界のどこでも楽しめる低価格で小型軽量のポータブル情報再生装置を実現できる。
【００４０】
また、PMPの機能を拡大できると同時に小型軽量化とコストダウンを実現できるので、PMPの市場拡大及びPMP向けコンテンツ事業の拡大の両方に大きく貢献できる。
【図面の簡単な説明】
【００４１】
【図１】本発明のポータブル情報再生装置の実施例を示すブロック図。
【図２】第1の制御回路19によるメディアプレーヤ１、第1あるいは第2の受信装置２，３の再生処理手順を具体的に示したフロー図。
【符号の説明】
【００４２】
100・・・ポータブル情報再生装置、101・・・デジタル入力端子、102・・・ユーザ入力端子、103・・・ヘッドホーン端子、1・・・メディアプレーヤ/レコーダ、2・・・第1の受信装置、3・・・第2の受信装置、4・・・第1の選択回路、5・・・第1の復調、エラー訂正装置、6・・・第2の復調、エラー訂正装置、7・・・第2の選択回路、8・・・入力制御回路、９・・・暗号復号回路、10・・・第1の変換装置、11・・・信号分離回路、12・・・第1のトランスコーダ、13・・・映像信号伸長回路、14・・・内蔵液晶ディスプレイ、15・・・第2のトランスコーダ、16・・・音声信号伸長回路、17・・・信号合成回路、18・・・全地球測位システム（GPS）、19・・・第1の制御装置、21・・・記録装置、20・・・第2の制御装置。
【図１】
2006244622.tif 000003
【図２】
2006244622.tif 000004